(57)【要約】【課題】  保守点検時の作業性を改善したマンコンベアの欄干装置を提供する。【解決手段】  下端部が保持部材２に固定された欄干パネル１と、この欄干パネル及び乗客を乗せるステップの間にマンコンベアの長手方向に複数配設され、該欄干パネル側の端部が上記保持部材に対して長手方向に複数箇所設けられた固定部Ｆでそれぞれ固定された内側デッキ３と、この内側デッキの上記欄干パネル側の端部における上記固定部を避けた位置に配設され、上面部に係合部を有する複数のパッキングベース４１と、下面部に該パッキングベースの係合部に着脱可能に係合する係合体を有し、該係合体を上記パッキングベースの係合部に係着させた複数のパッキングカバー４２とを備えるように構成した。【選択図】        図１
2006347650.tif 000002
【特許請求の範囲】
【請求項１】
下端部が保持部材に固定された欄干パネルと、この欄干パネル及び乗客を乗せるステップの間にマンコンベアの長手方向に複数配設され、該欄干パネル側の端部が上記保持部材に対して長手方向に複数箇所設けられた固定部でそれぞれ固定された内側デッキと、この内側デッキの上記欄干パネル側の端部における上記固定部を避けた位置に配設され、上面部に係合部を有する複数のパッキングベースと、下面部に該パッキングベースの係合部に着脱可能に係合し得る係合体を有し、該係合体を上記パッキングベースの係合部に係着させた複数のパッキングカバーとを備えたことを特徴とするマンコンベアの欄干装置。
【請求項２】
上記パッキングカバーは、隣接する上記パッキングベース相互に跨って設けられてなることを特徴とする請求項１に記載のマンコンベアの欄干装置。
【請求項３】
上記内側デッキの固定部は、マンコンベアの長手方向に直交する方向に形成された長穴からなることを特徴とする請求項１または請求項２に記載のマンコンベアの欄干装置。
【請求項４】
上記パッキングベースは、上記保持部材に対して係止された上記ステップ方向への移動を防ぐ係止部を備えてなることを特徴とする請求項１ないし請求項３の何れかに記載のマンコンベアの欄干装置。
【発明の詳細な説明】
【技術分野】
【０００１】
この発明は、マンコンベアの欄干装置に関し、更に詳細には内側デッキの取付構造に関するものである。
【背景技術】
【０００２】
従来のマンコンベアの欄干装置における内側デッキの取付構造としては、欄干パネルの下部に設けられたデッキ支持部とステップ列の側部に設けられたスカートガードパネルとの間にインナーデッキ（内側デッキ）を取り付けるマンコンベアのインナーデッキ取付装置において、デッキ支持部に弾性変形可能な押え部を有する押え部材を設け、インナーデッキをデッキ支持部およびスカートガードパネルの上にスライド可能に配置させ、このインナーデッキをスライドしてその一部を押え部材の押え部の下側にその弾性力に抗して進入させてその押え部の弾性的な押圧力でインナーデッキを固定するようにしたものがある（例えば、特許文献１参照。）。
【０００３】
【特許文献１】特開２００１−１３０８５９号公報（第１頁、図１）
【発明の開示】
【発明が解決しようとする課題】
【０００４】
上記のような従来のマンコンベアの欄干装置においては、マンコンベアの稼働中、故障等により内部を点検したい場合、点検したい部分の内側デッキを取り外そうとしても、一枚づつ順にスライドさせながら取り付けているため、一番端の内側デッキから順に取り外さなければならず、その為多くの時間を費やし、作業性が悪いという課題があった。
【０００５】
この発明は、上記のような従来技術の課題を解消するためになされたもので、保守点検や補修時の作業性を改善したマンコンベアの欄干装置を提供することを目的としている。
【課題を解決するための手段】
【０００６】
この発明によるマンコンベアの欄干装置は、下端部が保持部材に固定された欄干パネルと、この欄干パネル及び乗客を乗せるステップの間にマンコンベアの長手方向に複数配設され、該欄干パネル側の端部が上記保持部材に対して長手方向に複数箇所設けられた固定部でそれぞれ固定された内側デッキと、この内側デッキの上記欄干パネル側の端部における上記固定部を避けた位置に配設され、上面部に係合部を有する複数のパッキングベースと、下面部に該パッキングベースの係合部に着脱可能に係合し得る係合体を有し、該係合体を上記パッキングベースの係合部に係着させた複数のパッキングカバーとを備えるようにしたものである。
【発明の効果】
【０００７】
この発明によれば、上面部に係合部を有する複数のパッキングベースを内側デッキの欄干パネル側の端部における固定部を避けた位置に配設し、下面部に該パッキングベースの係合部に着脱可能に係合する係合体を有するパッキングカバーをパッキングベース上に係着するようにしたことにより、保守点検時や補修時に任意位置の内側デッキの着脱が可能となり、作業性の改善を図ることができる。
【発明を実施するための最良の形態】
【０００８】
実施の形態１．
図１〜図６は、この発明の実施の形態１によるマンコンベアの欄干装置を説明するもので、図１は要部を示す断面図、図２は全体構成を示す側面図、図３は内側デッキの固定部を示す断面図、図４はパッキングベースを装着したときの内側デッキと固定部の関係を示す斜視図、図５はマンコンベアに内側デッキの１つを固定するときの状態を説明する側面図、図６は長手方向に不連続的に設けられたパッキングベースに対するパッキングカバーの取付位置を説明する側面図である。なお、図１は図２のＩ−Ｉ線における矢視断面図に相当する。また、各図を通じて同一符号は同一もしくは相当部分を示すものとし、重複した説明を省略する。
【０００９】
図において、欄干パネル１の下端部を固定する保持部材２は、一端部（図１の左方）がマンコンベアの主枠７（図２）に固定され、他端部近傍に鉛直上方向に突設された支持部２１ａを有する保持主体２１と、欄干パネル１の下端部を包み込むように形成された断面コ字状のゴム弾性を有するパッキング２２と、支持部２１ａに対向して配設された押え板２３と、この押え板２３を欄干パネル１、パッキング２２及び内側デッキ３の欄干パネル１側の端部を固定するための断面逆Ｌ字形の支え金２４を介して支持部２１ａの方向に締め付ける固定ボルト２５から構成されている。欄干パネル１の上端部にはゴムなどの可撓性材料からなる移動手摺８がステップ６の移動速度に同期して同一方向に移動するように設けられている。
【００１０】
内側デッキ３は欄干パネル１と乗客を乗せるステップ６との間に長手方向に複数配設されている。上記支え金２４は長手方向の所定部において、断面逆Ｌ字形に形成された水平方向の折曲部２４ａが切り欠かれており、当該切り欠かれた部分の支え金２４側面に、内側デッキ３の欄干パネル１側端部を固定するためのネジ穴２６ａを有する断面逆Ｌ字形のブラケット２６がボルト２７によって固着されている（図３）。内側デッキ３の欄干パネル１側端部には、ブラケット２６のネジ穴２６ａに対応する位置に丸穴からなる貫通孔３ａがこの例では図４に示すように３箇所に設けられており、該貫通穴３ａに固定ネジ３０を挿通してネジ穴２６ａに締め付けることにより、内側デッキ３の欄干パネル１側端部がブラケット２６に、即ち保持部材２に対して固定されている。なお、上記ブラケット２６、ボルト２７、貫通孔３ａ、及び固定ネジ３０によって固定部Ｆを構成している。
【００１１】
そして、内側デッキ３の欄干パネル１側端部には、該内側デッキ３の端部が差込まれる溝４１ａを有し、上面部に２列の突起からなる係合部４１ｂが設けられたプラスチックからなるパッキングベース４１が、図４、図５に示すようにマンコンベアの長手方向に上記ブラケット２６を避けるように不連続的に配設されている。該パッキングベース４１の上方には、該パッキングベース４１の係合部４１ｂと係合する係合体４２ａが長手方向に２列に形成されたプラスチックからなるパッキングカバー４２が配設され、係合体４２ａを係合部４１ｂに弾性係合させることによりパッキングベース４１に着脱可能に係着されている。なお、上記保持部材２は１枚の欄干パネル１に対し数ヶ所取付けられているが、支え金２４は全長にわたり取り付けられている。また、内側デッキ３のステップ６側の端部は、従来技術によりスカートパネル５に係止され、スカートパネル５とステップ６の間には隙間ｔが形成されている。さらに、外側デッキ９は保持部材２に固定され（固定部分の図示省略）、欄干パネル１側の端部はプラスチック製の飾金９１に差込み、飾金９１は保持部材２に固着されている。
【００１２】
次に上記のように構成された実施の形態１の動作について、内側デッキ３の取付け方法を含めて説明する。先ず、パッキングベース４１の溝４１ａに、内側デッキ３の欄干パネル１側の端部を挿入するようにして該パッキングベース４１を内側デッキ３の端部に係止させる。なお、パッキングベース４１の長さは、隣接するブラケット２６相互の内側に収まる長さであり、装着時の状態は図４に示すように、貫通孔３ａを中心にブラケット２６の長さに相当する大きさの間隔をあけて、長手方向に不連続的に配置される。
【００１３】
次に、内側デッキ３を図５に示す矢印Ｄ方向に移動させて、内側デッキ３の上部欄干パネル１側を対応する所定のブラケット２６に載せ、下端部をスカートパネル５に係止させた後、図３に示すように固定ネジ３０で内側デッキ３をブラケット２６、即ち保持部材２に対して固定する。次に、パッキングカバー４２を、図６に示すように隣接するパッキングカバー４２との継目がパッキングベース４１の中央部分に位置するようにパッキングベース４１の切れ目、即ち固定部Ｆからズラした位置に配置して、図６の矢印Ｅ方向から、パッキングベース４１の上面部に係着させる。
【００１４】
なお、上記パッキングベース４１は、パッキングベース４１の上に長手方向に切れ目なく連続的に係着させる。また、図１は、パッキングカバー４２をパッキングベース４１の上から嵌込み、係着させた状態を示し、図３はそのときの固定部Ｆにおいてパッキングカバー４２が固定ネジ３０をカバーしている状態を示している。固定ネジ３０が万一緩んだ場合でも、パッキングカバー４２によって固定ネジ３０の脱落が防止される。
【００１５】
なお、隣接するパッキングカバー４２相互の継目とパッキングベース４１の切れ目の位置が一致していても外観上は問題がないが、その場合、パッキングカバー４２の端部の下側にはパッキングベース４１が存在していないので、パッキングカバー４２が外れ易くなるので例えば図６のようにずらして配設することが望ましい。また、パッキングカバー４２の長さを、例えば内側デッキ３の長さと同等か、もしくはそれ以上に長くすることにより、パッキングカバー４２の継目が少なくなるのでマンコンベアの外観上、見栄えがよくなる。さらに、保守点検時等に内側デッキ３を取り外す必要が生じた場合は、パッキングカバー４２を係着力に抗して取り外すことにより図５の反対方向の動作により、任意位置の内側デッキ３を着脱できる。
【００１６】
上記のように、この実施の形態１によれば、任意の位置の内側デッキ３を着脱することができるので、保守点検時の作業性を改善できる。また、図３に示すように内側デッキ３の固定部Ｆにおける固定ネジ３０がパッキングカバー４２によって覆われているので、外からは見えず、意匠上の美観を損なうことがない。さらに、該固定ネジ３０は万一運転中に緩んだとしても、固定ネジ３０の頭部の直ぐ上にパッキングカバー４２が延在していることにより脱落を防ぐことができ、しかもパッキングカバー４２によって覆われていることにより、乗客の荷物や着衣などに引っ掛る虞もない。
【００１７】
実施の形態２．
図７はこの発明の実施の形態２によるマンコンベアの欄干装置の要部を示す斜視図である。この実施の形態２は、内側デッキ３の固定部を構成する固定ネジを挿通するための貫通孔（図１の３ａに相当する）を、マンコンベアの長手方向に直交する方向に形成された長穴３ｂとしたものである。なお、スカートパネル５は、図示しない固定手段により図１の左右方向の位置を調節可能に主枠７に対して別途固定されている。その他の構成は上記実施の形態１と同様であるので説明を省略する。
【００１８】
図１に示すステップ６とスカートパネル５との隙間ｔは、マンコンベアの稼動年数により図示省略する機器の磨耗が生じ、その結果ステップ６が蛇行走行し隙間ｔが狭くなったり、ステップ６がスカートパネル５に接触することがある。この場合は、スカートパネル５を欄干パネル１側に調整移動させる必要がある。この実施の形態２によれば、内側デッキ３の固定ネジ３０（図３）を挿通するための貫通孔を、マンコンベアの長手方向に直交する方向に形成された長穴３ｂとしたことにより、スカートパネル５及び内側デッキ３の調整移動が容易となる。また、長穴３ｂは、スカートパネル５の欄干パネル側端部を切り欠いて形成されていることにより、固定ネジ３０（図３）を外さなくても内側デッキ３を着脱できるという利点がある。
【００１９】
実施の形態３．
図８はこの発明の実施の形態３によるマンコンベアの欄干装置を説明する図であり、図８（ａ）は要部を示す断面図、図８（ｂ）は図８（ａ）に用いたパッキングベースの断面図である。この実施の形態３は、４１の下辺部に、欄干パネル１と支え金２４との隙間に嵌合してパッキングベース４１がステップ６の方向（図８（ａ）の右方向）に移動するのを阻止する係止部４１ｃを形成したものである。その他の構成は上記実施の形態１と同様であるので説明を省略する。
【００２０】
上記のように構成された実施の形態３においては、パッキングベース４１の下辺部に設けられた係止部４１ｃが保持部材２に対して支え金２４を介して係止されていることにより、マンコンベアの運転による振動等によってパッキングベース４１がステップ６の方向に移動するのを防ぐことができ、従ってパッキングベース４１の上面に係着されたパッキングカバー４２がステップ６の方向に移動して、欄干パネル１とパッキングカバー４２との間に隙間が生じたり、該隙間に塵埃等が溜まって外観を損なう心配も無くすことができる。
【００２１】
なお、上記係止部４１ｃの形状、あるいは設置位置などは上記図８に例示したものに限定されるものではなく、例えば支え金２４の折曲部２４ａに貫通孔や凹部を設け、その貫通孔や凹部に嵌り合う突起をパッキングベース４１の下面に形成するなど、要するに固定部分である保持部材２に対して直接もしくは間接的に係止されるものであればよく、同様の効果が期待できる。
【００２２】
なお、上記実施の形態の説明では、パッキングベース４１の係合部４１ｂを２列の突起により形成し、パッキングカバー４２の係合体４２ａを、上記突起状の係合部４１ｂを受け入れる凹所で形成したが、これに限定されるものでないことは言うまでもない。要するに互いに着脱可能に係合ないしは係着する構造であればよく、形状、数、材質など、公知の技術は適宜選択して用いることができる。また、固定部Ｆの構造、内側デッキ３とスカートパネル５の係合手段なども上記実施の形態に限定されるものではなく、種々の変形や変更が可能であることは勿論である。
【図面の簡単な説明】
【００２３】
【図１】この発明の実施の形態１によるマンコンベアの欄干装置の要部を示す断面図である。
【図２】図１に示すマンコンベアの欄干装置の全体構成を示す側面図である。
【図３】図１に示すマンコンベアの欄干装置における内側デッキの固定部を示す断面図である。
【図４】図１に示すマンコンベアの欄干装置においてパッキングベースを装着したときの内側デッキと固定部の関係を示す斜視図である。
【図５】図１に示すマンコンベアに内側デッキの１つを固定するときの状態を説明する側面図である。
【図６】図１に示すマンコンベアの長手方向に不連続的に設けられたパッキングベースに対するパッキングカバーの取付位置を説明する側面図である。
【図７】この発明の実施の形態２によるマンコンベアの欄干装置の要部を示す斜視図である。
【図８】この発明の実施の形態３によるマンコンベアの欄干装置を説明する図であり、図８（ａ）は要部を示す断面図、図８（ｂ）は図８（ａ）に用いたパッキングベースの断面図である。
【符号の説明】
【００２４】
１  欄干パネル、  ２  保持部材、  ２１  保持主体、  ２１ａ  支持部、  ２２  パッキング、  ２３  押え板、  ２４  支え金、  ２４ａ  折曲部、  ２５  固定ボルト、  ２６  ブラケット、  ２６ａ  ネジ穴、  ２７  ボルト、  ３  内側デッキ、  ３ａ  貫通孔、  ３ｂ  長穴、  ３０  固定ネジ、  ４１  パッキングベース、  ４１ａ  溝、  ４１ｂ  係合部、  ４１ｃ  係止部、  ４２  パッキングカバー、  ４２ａ  係合体、  ５  スカートパネル、  ６  ステップ、  ７  主枠、  ８  移動手摺、  ９  外側デッキ、  ９１  飾金、  Ｆ  固定部。
【図１】
2006347650.tif 000003
【図２】
2006347650.tif 000004
【図３】
2006347650.tif 000005
【図４】
2006347650.tif 000006
【図５】
2006347650.tif 000007
【図６】
2006347650.tif 000008
【図７】
2006347650.tif 000009
【図８】
2006347650.tif 000010